(57)【要約】【課題】複数の処理操作位置における視認性が良好な案内表示画像を低コストで表示でき、処理操作位置にて操作入力を容易に行うことができる画像形成装置を提供する。【解決手段】複数のユニットで構成された画像形成装置本体１Ａと、この画像形成装置本体１Ａの一部又はその周囲に配置された第１スクリーン２１、第２スクリーン２２、第３スクリーン２３などに対して、案内表示画像を投射可能であり、且つ案内表示画像の大きさを調整するズーム調整手段３を備えた投射部４と、画像形成装置本体１Ａに対して複数箇所で入力可能な操作入力部としてのキー入力部５と、少なくともズーム調整手段３を制御する手段を備える。【選択図】図６
2010128120.tif 000002
【特許請求の範囲】
【請求項１】
画像形成装置本体と、
前記画像形成装置本体の一部又はその周囲に配置されたスクリーンに対して、案内表示画像を投射可能であり、且つ前記案内表示画像の大きさを調整するズーム調整手段を備えた投射部と、
前記画像形成装置本体に対して複数箇所で入力可能な操作入力部と、
前記画像形成装置本体における処理操作位置と前記スクリーンの位置との間の距離が長くなるに従い、前記スクリーンへ投射される前記案内表示画像を大きくするように前記ズーム調整手段を制御する制御部と、
を備えたことを特徴とする画像形成装置。
【請求項２】
前記スクリーンは複数であり、前記画像形成装置本体に対して互いに分散して配置されていることを特徴とする請求項１に記載の画像形成装置。
【請求項３】
前記画像形成装置本体は、前記処理操作位置を検出する検出部を備え、
前記投射部は、前記投射部の配置位置を調整する位置調整部を備え、
前記制御部は、前記検出部からの検出信号に基づいて、選択された前記スクリーンに対して前記投射部が案内表示画像を投射可能な位置になるように前記位置調整部を制御することを特徴とする請求項１又は請求項２に記載の画像形成装置。
【請求項４】
前記検出部は、前記画像形成装置本体の複数箇所に分散して配置された前記操作入力部であり、
前記操作入力部は、入力操作が行われることにより前記制御部へ検出信号を出力することを特徴とする請求項３に記載の画像形成装置。
【請求項５】
前記検出部は、画像形成装置本体の複数箇所に分散して配置された、前記操作入力部を接続可能な接続部であり、
前記接続部は、前記操作入力部が接続されることにより前記制御部へ検出信号を出力することを特徴とする請求項３に記載の画像形成装置。
【請求項６】
前記検出部は、前記画像形成装置本体における操作者の位置を検出する人体検出センサであることを特徴とする請求項３に記載の画像形成装置。
【請求項７】
前記検出部は、前記画像形成装置本体のジョブの実行状態を検出するジョブ検出センサであり、検出結果に応じて前記制御部へ検出信号を出力することを特徴とする請求項３に記載の画像形成装置。
【請求項８】
前記スクリーンは、前記画像形成装置本体に対して表示位置と非表示位置とに移動可能に設けられていることを特徴とする請求項１乃至請求項７のいずれか一項に記載の画像形成装置。
【請求項９】
前記制御部は、前記検出部からの検出信号に基づき、又は、前記非表示位置から前記表示位置への移動の検知結果に基づき、複数の前記スクリーンから１つのスクリーンを選択する選択手段を備えることを特徴とする請求項４乃至８のいずれか一項に記載の画像形成装置。
【請求項１０】
前記制御部は、前記投射部が、選択された前記スクリーンに対して投射可能な配置状態の場合のみ、規定の光量での投射を行うように前記投射部の光量を制御し、前記投射部が、選択された前記スクリーンに対して投射不能の配置状態の場合には、消光もしくは減光するように前記投射部の光量を制御することを特徴とする請求項１乃至請求項９のいずれか一項に記載の画像形成装置。
【発明の詳細な説明】
【技術分野】
【０００１】
本発明は画像形成装置に関し、さらに詳しくは、複数箇所での処理操作が要請される画像形成装置に関する。
【背景技術】
【０００２】
近年、画像形成装置の大型化が進み、給紙部、画像形成部、定着部、排紙部などの基本的機能部に加えて、折り加工部、製本部などの機能部を備えたものがある。このような大型の画像形成装置では、各機能部でのジャム処理やメンテナンス時に、ユーザの作業範囲が表示部から離れてしまい、表示部に表示された機械状態の表示やガイダンス表示を見難いという問題点があった。このような問題点を解決するために、メンテナンスなどの作業を行う箇所の扉より内側の装置本体内部に、別途専用の操作部を含む液晶表示装置を設置した技術が提案されている（例えば、特許文献１参照）。
【特許文献１】特開平１１−１１９６０９号公報
【発明の開示】
【発明が解決しようとする課題】
【０００３】
上述の特許文献１に開示された画像形成装置では、液晶表示装置を複数箇所に設けるため、構成が複雑になりコストが高くなるという問題がある。加えて、特許文献１に開示された画像形成装置では、画像形成装置本体内部に液晶表示装置を設置するため、表示画面の大きさに制約があり、表示画像が見難いという問題がある。さらに、特許文献１に開示された画像形成装置では、装置の大型化に伴って、メンテナンス位置によっては画像形成装置本体内部に設けた液晶表示装置が見難くなるという問題が生じる。
【０００４】
本発明の目的は、作業範囲が広くて処理操作箇所が増加した場合でも、コスト増となることなく、視認性が良好な案内表示画像を表示でき、操作入力を容易に行うことができる画像形成装置及びその制御方法を提供することにある。
【課題を解決するための手段】
【０００５】
本発明の特徴は、画像形成装置本体と、この画像形成装置本体の一部又はその周囲に配置されたスクリーンに対して、案内表示画像を投射可能であり、且つ案内表示画像の大きさを調整するズーム調整手段を備えた投射部と、画像形成装置本体に対して複数箇所で入力可能な操作入力部と、画像形成装置本体における処理操作位置とスクリーンの位置との間の距離が長くなるに従い、スクリーンへ投射される案内表示画像を大きくするように前記ズーム調整手段を制御する制御部とを備えたことを要旨とする。
【０００６】
ここで、画像形成装置本体が大型である場合は、スクリーンは複数で、互いに分散して配置されていることが好ましい。
【０００７】
また、画像形成装置本体は、処理操作位置を検出する検出部を備え、投射部は、投射部の配置位置を調整する位置調整部を備え、制御部は、検出部からの検出信号に基づいて、選択されたスクリーンに対して投射部が案内表示画像を投射可能な位置になるように位置調整部を制御する構成としてもよい。
【０００８】
検出部は、画像形成装置本体の複数箇所に分散して配置された上記操作入力部であってもよい。操作入力部は、入力操作が行われることで制御部へ検出信号を出力するようになっている。このため、制御部は、操作入力が行われた位置を処理操作位置と見なして投射部の位置調整部に対して、選択したスクリーンに適切な大きさの案内表示画像を投射可能となるように制御を行うことが可能となる。
【０００９】
また、検出部は、画像形成装置本体の複数箇所に分散して配置された、上記操作入力部を接続可能な接続部であってもよい。
【００１０】
なお、本発明の他の態様として、操作入力部は、単数で画像形成装置本体に長いケーブルを介して接続されていてもよいし、無線で入力可能となっていてもよい。
【００１１】
さらに、検出部は、画像形成装置本体における操作者の位置を検出する人体検出センサであってもよい。この場合、制御部は、操作者とスクリーンとの距離や位置関係に基づき操作者にとって視認性のよいスクリーンを選択したり、操作者が目視できる程度に案内表示画像の大きさを制御することができる。
【００１２】
また、検出部は、画像形成装置本体のジョブの実行状態を検出するジョブ検出センサであってもよい。これにより、例えば、ジャム処理やメンテナンス処理などの処理操作位置が特定でき、制御部はこの処理操作位置に基づいて投射部を制御することができる。
【００１３】
スクリーンは、画像形成装置本体に対して表示位置と非表示位置とに移動可能に設けられている構成としてもよい。具体的には、スクリーンが画像形成装置本体に対して出没可能に設けられていてもよいし、着脱自在に設けられていてもよい。さらには、スクリーンが画像形成装置本体の一部である扉の内側面であれば、扉の開閉により移動する構成となる。
【００１４】
制御部は、検出部からの検出信号に基づき、又は、上記非表示位置から表示位置への移動の検知結果に基づき、複数の前記スクリーンから１つのスクリーンを選択する選択手段を備える構成としてもよい。
【００１５】
制御部は、投射部が、選択されたスクリーンに対して投射可能な配置状態の場合のみ、規定の光量での投射を行うように投射部の光量を制御し、一方、投射部が、選択されたスクリーンに対して投射不能の配置状態の場合には、消光もしくは減光するように投射部の光量を制御することが好ましい。このような制御を行うことより、投射部が特定のスクリーンのみに投射を行って、操作者などを幻惑させることを防止できる。
【発明の効果】
【００１６】
本発明によれば、処理操作位置が複数の画像形成装置であっても、コスト増となることなく、各処理操作位置における視認性が良好な案内表示画像を表示でき、処理操作位置にて操作入力を容易に行うことができる画像形成装置を実現する。
【発明を実施するための最良の形態】
【００１７】
以下、本発明の実施の形態に係る画像形成装置の詳細を図面に基づいて説明する。
［第１の実施の形態］
図１〜図１８は、本発明の第１の実施の形態に係る画像形成装置に関する図面である。これら図面に基づいて、画像形成装置の構成及び制御方法について説明する。
(画像形成装置の概略構成)
本実施の形態に係る画像形成装置１は、例えば電子写真式複写機であって、原稿に形成された画像を読み取って画像情報を取得し、取得した画像情報に基づいて用紙に画像を形成する装置である。
【００１８】
画像形成装置１は、複数のユニットで構成された画像形成装置本体１Ａと、この画像形成装置本体１Ａの一部又はその周囲に配置された第１スクリーン２１、第２スクリーン２２、第３スクリーン２３などに対して、案内表示画像を投射可能であり、且つ案内表示画像の大きさを調整するズーム調整手段３を備えた投射部４と、画像形成装置本体１Ａに対して複数箇所で入力可能な操作入力部としてのキー入力部５と、少なくともズーム調整手段３を制御する図８に示す構成の制御部６と、を備えて構成されている。
(画像形成装置本体の構成)
図１〜図４、及び図６に示すように、画像形成装置本体１Ａを構成するユニットとしては、第１給紙ユニット７、第２給紙ユニット８、本体ユニット９、第１排紙ユニット１０、第２排紙ユニット１１が機能的に連結されて配置されている。
【００１９】
第１給紙ユニット７及び第２給紙ユニット８は、所定のサイズの用紙を収納するトレイを備えた複数の引き出し部７Ａ、８Ａを有しており、内部に各トレイから用紙を本体ユニット９側へ搬送する図示しない用紙搬送機構を備えている。
【００２０】
また、図６及び図７に示すように、第１給紙ユニット７における画像形成装置本体１Ａの外側に位置する壁板７１の内側には、第３スクリーン２３が上下方向に出没可能に設けられている。この第３スクリーン２３は、上縁部に把持部２３Ｃを備えている。また、図７に示すように、第３スクリーン２３は、壁板７１の内側に第３スクリーン２３を立てた状態で保持する保持部７Ｃが設けられている。この保持部７Ｃは、第３スクリーン２３の側縁下部に形成された凹部２３Ａに係止並びに解除可能に設定されている。
【００２１】
本体ユニット９は、図示しないが、周知の複写機と同様の構成要素である、画像読取部、画像形成部、転写部、定着部等を備えている。なお、本実施の形態では、本体ユニット９の下部にも用紙を収納するトレイを備えた引き出し部９Ａを有する。また、本体ユニット９の背面側には、第１スクリーン２１が立設されている。なお、第１スクリーン２１は、図示しないが、表示位置と非表示位置とに移動可能に設けられている。
【００２２】
第１排紙ユニット１０および第２排紙ユニット１１は、例えばプリントが施された用紙を束ねたり、ステープラーで綴じたりする機能を有する。図６に示すように、第２排紙ユニット１１における画像形成装置本体１Ａの外側に位置する壁板の内側には、第２スクリーン２２が上下方向に出没可能に設けられている。
【００２３】
この第２スクリーン２２は、上縁部に把持部２２Ｃを備えている。また、第２スクリーン２２は、上記した第３スクリーン２３と同様に、壁板の内側に第２スクリーン２２を立てた状態で保持する図示しない保持部が設けられている。
【００２４】
図４に示すように、第２排紙ユニット１１の前扉１１Ｄは、ほぼ直角に開けた状態で保持されるように設定されている。このとき、前扉１１Ｄの内側面には、投射部４から案内表示画像が投射可能となっている。
【００２５】
図８に示すように、画像形成装置本体１Ａには、上述した第１スクリーン２１、第２スクリーン２２、第３スクリーン２３、前扉１１Ｄの内側面が案内表示画像の投射が可能な規定の位置に配置されているか否かを検出する、第１スクリーン状態検出センサ、第２スクリーン状態検出センサ、第３スクリーン状態検出センサ、前扉１１Ｄの状態センサ（図示省略する）を備えている。
【００２６】
投射部４は、光源となる図示しないランプを備えたプロジェクタ型の表示装置であり、画像形成装置本体１Ａの一部又は周囲に分散して配置された第１スクリーン２１、第２スクリーン２２、第３スクリーン２３、前扉１１Ｄの内側面に対して案内表示画像を投射可能となるように設けられている。投射部４は、上記したズーム調整手段３の他に、投射部４の配置位置や投射方向を調整するための位置調整部４０を備えている。また、図８に示すように、投射部４のランプは制御部６により光量が制御されるようになっている。
【００２７】
本実施の形態では、第１給紙ユニット７と、本体ユニット９と、第２排紙ユニット１１の上部にキー入力部５を接続するための第３接続部７Ｂ、第１接続部９Ｂ、第２接続部１１Ｂが設けられている。また、図４に示すように、第２排紙ユニット１１内には、前扉１１Ｄを開けたときに露呈される接続部１１Ｃが設けられている。これら第３接続部７Ｂ、第１接続部９Ｂ、第２接続部１１Ｂ、接続部１１Ｃには、画像形成装置本体１Ａに、例えばジャム処理、用紙補給、各種メンテナンス、各種の設定変更などの処理操作の必要が生じたときに、図１及び図２に示すように、これら第３接続部７Ｂ、第１接続部９Ｂ、第２接続部１１Ｂ、接続部１１Ｃのうちいずれか一つを選択してキー入力部５を接続してもよいし、図３に示すように、第３接続部７Ｂ、第１接続部９Ｂ、第２接続部１１Ｂのそれぞれにキー入力部５が接続された状態で備えられていてもよい。
【００２８】
これら第３接続部７Ｂ、第１接続部９Ｂ、第２接続部１１Ｂ、接続部１１Ｃは、いずれかにキー入力部５が接続されたときに、制御部６へ検出信号を出力するように設定されている。具体的には、これら接続部７Ｂ、９Ｂ、１１Ｂ、１１Ｃに互いに離間された一対の電極板を設け、キー入力部５の接続端子が接続部７Ｂ、９Ｂ、１１Ｂ、１１Ｃに差し込まれたときに、一対の電極板が短絡されて制御部６へ検出信号を出力するようにしてもよい。これら接続部７Ｂ、９Ｂ、１１Ｂ、１１Ｃとしては、実質的にキー入力部５の接続により、制御部６へ検出信号を出力するものあれば他の構成でも勿論よい。
【００２９】
また、第３接続部７Ｂ、第１接続部９Ｂ、第２接続部１１Ｂのそれぞれにキー入力部５が接続されて備えられている場合は、いずれかのキー入力部５のキー入力が行われたときに制御部６へ検出信号を出力するように設定してもよい。上述のように、本実施の形態では、第３接続部７Ｂ、第１接続部９Ｂ、第２接続部１１Ｂ、接続部１１Ｃやキー入力部５が、処理操作位置を検出するための検出部としての機能を有する。
【００３０】
図１〜４、及び図６に示すように、本実施の形態では、処理操作位置を検出する他の検出部として、人体検知センサ７Ｓ、９Ｓ、１１Ｓを備えている。人体検知センサ７Ｓは、画像形成装置本体１Ａの一方の端部側に配置される第１給紙ユニット７に取り付けられている。人体検知センサ９Ｓは、本体ユニット９に取り付けられている。人体検知センサ１１Ｓは、画像形成装置本体１Ａの他方の端部側に配置される第２排紙ユニット１１に取り付けられている。
【００３１】
さらに、本実施の形態おいて、処理操作位置を検出する他の検出部としては、画像形成装置本体１Ａを構成する各ユニット全般に設けられているジョブの実行状態を検出するジョブ検出センサであり、検出結果に応じて制御部６へ検出信号を出力するようになっている。なお、ジョブ検出センサとしては、図８に示す、周知の給紙センサ８１、搬送センサ８２、排紙センサ８３がある。給紙センサ８１は、第１給紙ユニット７、第２給紙ユニット８に設けられている。排紙センサ８２は、本体ユニット９に設けられている。排紙センサ８３は、第１排紙ユニット１０、第２排紙ユニット１１に設けられている。
【００３２】
制御部６は、位置調整部４０を制御して投射部４の配置位置や投射方向を制御すると共に、画像形成装置本体１Ａにおける処理操作位置と、第１スクリーン２１、第２スクリーン２２、第３スクリーン２３との位置との間の距離が長くなるに従い、スクリーン２１、２２、２３のうち選択された１つのスクリーンへ投射される案内表示画像を大きくするようにズーム調整手段３を制御するようになっている。すなわち、制御部６は、選択されたいずれかのスクリーンへ向けて投射可能となるように、投射部４に設けられている位置調整部４０を制御するようになっている。また、制御部６は、画像形成装置本体１Ａにおいて、例えば、ジャム処理を行ったり、用紙補給を行ったり、設定変更を行ったりする処理操作の位置を検出して、その処理操作位置から見た場合に、選択されたいずれかのスクリーン２１、２２、２３、前扉１１Ｄの内側面での案内表示画像が視認性が高くなるようにズーム調整手段３の制御を行う。
(位置調整部の構成)
図５は、本実施の形態に用いる位置調整部４０の一例を示す斜視図である。この位置調整部４０は、投射部４の底部に設けられた第１駆動モータ４２と、第１駆動モータ４２により駆動される図示しない歯車部と、この歯車部が噛合して回転することにより投射部４を矢印ａで示す水平方向に移動可能とするラック４３を備えている。
【００３３】
このラック４３の下部には、下方に向けて突出する揺動ロッド部４４がラック４３と一体的に設けられている。この揺動ロッド部４４の中間部には、この揺動ロッド部４４と直角をなすようにアーム部４５が突設されている。
【００３４】
揺動ロッド部４４の下端には、支持軸４６で相対的に揺動可能に支持されると共に、軸方向が上下方向に固定されるように本体ユニット９内の図示しない部材に回転可能に軸支された上下方向ロッド部５０を有している。上下方向ロッド部５０の中間部には、上下方向ロッド部５０の軸方向と直角をなし且つ上下方向ロッド部５０が中心を貫通するように一体的に回転板９Ｃが設けられている。回転板９Ｃの下面周縁には、円周方向に沿ってギア５１が形成されている。
【００３５】
また、回転板９Ｃの上面に上下方向駆動部４８を備えている。この上下方向駆動部４８は、内部に第２駆動モータ４９を備え、上下方向駆動部４８から突出させた昇降ロッド４７の上端を、上記アーム部４５の自由端に揺動可能に連結させている。この昇降ロッド４７は、第２駆動モータ４９により矢印ｂで示す上下方向に移動するように設定されている。このような昇降ロッド４７の上下動に伴い、投射部４は矢印ｃの方向に出射レンズ部４１を傾ける制御が可能となる。
【００３６】
回転板９Ｃの下面に形成されたギア５１には、本体ユニット９側に設けられた第３駆動モータ５４で回転駆動される回転軸５３に設けられたピニオンギア５２が噛合している。この第３駆動モータ５４を駆動制御することにより、回転板９Ｃが矢印ｄの方向に回転するようになっている。
［制御部の構成］
次に、本実施の形態の画像形成装置１の制御部６を図８に示すブロック図を用いて説明する。
【００３７】
制御部６はＣＰＵや主記憶部などを備えてなり、具体的には、図８に示すように、入力装置状態検出部６０１と、人体位置検出部６０２と、給紙ユニット制御部６０３と、本体ユニット制御部６０４と、排紙ユニット制御部６０５と、複数のスクリーンから１つのスクリーンを選択する選択手段としてのスクリーン選定部６０６と、投射部制御部６０７と、光量制御部６０８と、投射部位置制御部６０９と、スクリーン状態検出部６１０と、を備えている。
【００３８】
入力装置状態検出部６０１は、画像形成装置本体１における第３接続部７Ｂ、第１接続部９Ｂ、第２接続部１１Ｂ、接続部１１Ｃからの入力信号に基づき、キー入力部５を用いた処理操作位置を検出してスクリーン選定部６０６へキー入力部５の位置情報を出力する。なお、第３接続部７Ｂ、第１接続部９Ｂ、第２接続部１１Ｂ、接続部１１Ｃのいずれにもキー入力部５が接続されていない場合に、いずれかの接続部にキー入力部５が接続されたときに入力装置状態検出部６０１へ検出信号が出力されるようになっている。また、第３接続部７Ｂ、第１接続部９Ｂ、第２接続部１１Ｂのいずれにもキー入力部５が接続されて配置されている場合は、いずれかのキー入力部５にキー操作が行われた場合に、その操作が行われたキー入力部５から検出信号が出力されるようになっている。
【００３９】
人体位置検出部６０２は、画像形成装置本体１における人体検知センサ７Ｓ、９Ｓ、１１Ｓのいずれから出力された検出信号に基づいて、処理操作位置としての人体位置を検出して人体位置情報を、スクリーン選定部６０６と投射部制御部６０７へ出力する。
【００４０】
図８に示すように、給紙ユニット制御部６０３は、給紙ユニット７、８に備えられた給紙センサ８１から例えば用紙切れなどの情報が検出信号として出力されるようになっている。また、本体ユニット制御部６０４は、本体ユニット９に備えられた搬送センサ８２から、ジャム発生などを知らせる検出信号が出力されるようになっている。排紙ユニット制御部６０５は、排紙センサ８３から、排紙関連の情報を知らせる検出信号が出力されるようになっている。
【００４１】
スクリーン選定部６０６は、上記の入力装置状態検出部６０１、人体位置検出部６０２、給紙ユニット制御部６０３、本体ユニット制御部６０４、排紙ユニット制御部６０５、スクリーン状態検出部６１０からの検出信号が入力されて、第１スクリーン２１、第２スクリーン２２、第３スクリーン２３の選定を行う。
【００４２】
投射部制御部６０７では、キー入力部５が用いられる処理操作位置や、処理操作位置としての人体検出位置の情報が入力装置状態検出部６０１、人体位置検出部６０２、スクリーン状態検出部６１０から入力される。この処理操作位置と、スクリーン選定部６０６にて選定（選択）されたスクリーンとの距離に応じた大きさの案内表示画像を選定されたスクリーンに投射するように制御を行う。
【００４３】
光量制御部６０８では、投射部制御部６０７からの制御信号に基づいて投射部４のランプの光量制御を行う。投射部位置制御部６０９では、投射部制御部６０７からの制御信号に基づいて投射部４の位置調整部４０における第１駆動モータ４２、第２駆動モータ４９、第３駆動モータ５４を制御すると共に、投射部４のズーム調整手段３に含まれるモータを制御する。また、投射部位置制御部６０９には、投光方向検知センサから投光方向の検知信号が入力されるようになっている。
【００４４】
スクリーン状態検出部６１０では、上記した第１スクリーン状態検出センサ５５、第２スクリーン状態検出センサ５６、第３スクリーン状態検出センサ５７からの検出信号に基づいて各スクリーンが表示可能な位置に配置されているか否かの検出信号を投射部制御部６０７及びスクリーン選定部６０６へ出力するようになっている。
(画像形成装置の制御動作：キー入力部と接続部からの処理操作位置の検出)
図９〜１１は、第１接続部９Ｂ、第２接続部１１Ｂ、第３接続部７Ｂに接続されたキー入力部５からのキー入力操作があった場合、若しくはこれらの接続部にキー入力部５が接続された場合に、投射部４を制御する流れを示すフローチャートである。
〈第１スクリーンが選定された場合〉
図９に示すように、第１スクリーン２１へ案内表示画像の投影の選定がなされると（ステップＳ１）、次に処理操作位置の検出を行う。具体的には、第１接続部９Ｂ、第２接続部１１Ｂ、第３接続部７Ｂのいずれかのキー入力部５においてキー入力操作があったか、又は第１接続部９Ｂ、第２接続部１１Ｂ、第３接続部７Ｂのいずれかにキー入力部５が接続されたかどうかを検出して、処理操作位置の判定を行う（ステップＳ２）。
【００４５】
ステップＳ２において、図８に示す入力装置状態検出部６０１で、キー入力又はキー入力部５の接続が行われて第２接続部１１Ｂの位置（以下、エリア２という。）から検出されたとの検出信号が出力された場合は、投射部位置制御部６０９では、作業はエリア２で行うと判断する（ステップＳ３）。制御部６内の投射部制御部６０７では、入力装置状態検出部６０１からの検出信号に基づき、制御部６内の図示しない主記憶装置（ＲＡＭ）に格納された、図１３に示すような制御テーブルを参照して画面サイズを決定する。すなわち、作業がエリア２であり、スクリーンが第１スクリーン２１であるため、案内表示画像の画面サイズはサイズ中と決定される（ステップＳ４）。
【００４６】
上記ステップＳ４では、入力装置状態検出部６０１からの検出信号に基づき投射部制御部６０７から、光量制御部６０８並びに投射部位置制御部６０９へ制御信号を出力して、光量制御部６０８から投射部４のランプの光量制御を行うと共に、投射部位置制御部６０９から投射部４の位置調整部４０やズーム調整手段３の各モータへ制御信号を出力する。なお、投射部制御部６０７では、スクリーン状態検出部６１０からの第１スクリーン２１の状態検出結果により、第１スクリーン２１が規定の表示位置に配置されている場合には、光量制御部６０８へ規定の光量となるような制御信号を発生させるようになっている。また、第１スクリーン２１の状態検出結果により、第１スクリーン２１が規定の表示位置に配置されていない場合は、投射部４のランプの光量を減光するか消光させるように制御を行う。
【００４７】
図９に示すステップＳ２において、第１接続部９Ｂの位置（以下、エリア１という。）から検出信号が出力された場合は、図８に示した制御部６内の入力装置状態検出部６０１では、作業はエリア１で行うと判断する（ステップＳ５）。制御部６内の投射部制御部６０７では、入力装置状態検出部６０１からの検出信号に基づき、主記憶装置（ＲＡＭ）に格納された、図１３に示す制御テーブルを参照して画面サイズを決定する。すなわち、作業がエリア１であり、スクリーンが第１スクリーン２１であるため、案内表示画像の画面サイズはサイズ小と決定される（ステップＳ６）。
【００４８】
図９に示すステップＳ２において、第３接続部７Ｂの位置（以下、エリア３という。）から検出信号が出力された場合は、図８に示した制御部６内の入力装置状態検出部６０１では、作業はエリア３で行うと判断する（ステップＳ７）。制御部６内の投射部制御部６０７では、入力装置状態検出部６０１からの検出信号に基づき、主記憶装置（ＲＡＭ）に格納された、図１３に示す制御テーブルを参照して画面サイズを決定する。すなわち、作業がエリア３であり、スクリーンが第１スクリーン２１であるため、案内表示画像の画面サイズはサイズ中と決定される（ステップＳ８）。
【００４９】
上記ステップＳ４、Ｓ６、Ｓ８を行った後、スクリーン切り替えの指示があるか否かを判定する（ステップＳ９）。このステップＳ９においてスクリーン切り替えの指示がない場合は、制御は終了する。ステップＳ９において、第２スクリーン２２への切り替えの指示がされた場合は図１０に示すフローチャートで示す制御に移行し、第３スクリーン２３への切り替えの指示がされた場合は図１１のフローチャートで示す制御に移行する。
〈第２スクリーンが選定された場合〉
次に、図１０に示すフローチャートを用いて第２スクリーン２２が選定された場合の制御動作について説明する。
【００５０】
図１０に示すように、第２スクリーン２２へ案内表示画像の投影の選定がなされると次に処理操作位置の検出を行う。具体的には、第１接続部９Ｂ、第２接続部１１Ｂ、第３接続部７Ｂのいずれかのキー入力部５においてキー入力操作があったか、又は第１接続部９Ｂ、第２接続部１１Ｂ、第３接続部７Ｂのいずれかにキー入力部５が接続されたかどうかを検出して、処理操作位置の判定を行う（ステップＳ１０）。
【００５１】
ステップＳ１０において、キー入力又はキー入力部５の接続が行われた処理操作位置が第２接続部１１Ｂの位置から検出信号が出力された場合は、図８に示した制御部６内の入力装置状態検出部６０１では、作業はエリア２で行うと判断する（ステップＳ１１）。制御部６内の投射部制御部６０７では、入力装置状態検出部６０１からの検出信号に基づき、制御部６内の図示しない主記憶装置（ＲＡＭ）に格納された、図１３に示すような制御テーブルを参照して画面サイズを決定する。すなわち、作業がエリア２であり、スクリーンが第２スクリーン２２であるため、案内表示画像の画面サイズはサイズ小と決定される（ステップＳ１２）。なお、この場合の案内表示画像の大きさは、例えば図１２（Ｃ）に示すような配置となる。
【００５２】
上記ステップＳ１２では、入力装置状態検出部６０１からの検出信号に基づき投射部制御部６０７から、光量制御部６０８並びに投射部位置制御部６０９へ制御信号を出力して、光量制御部６０８から投射部４のランプの光量制御を行うと共に、投射部位置制御部６０９から投射部４の位置調整部４０やズーム調整手段３の各モータへ制御信号を出力して案内表示画像の大きさを投射部４の向きなどを制御する。なお、投射部制御部６０７では、スクリーン状態検出部６１０からの第２スクリーン２２の状態検出結果により、第２スクリーン２２が規定の表示位置に配置されている場合、すなわち第２スクリーン２２が図６に示すように、確実に立ち上がって配置されている場合には、光量制御部６０８へ規定の光量となるような制御信号を発生させるようになっている。また、第２スクリーン２２の状態検出結果により、第２スクリーン２２が規定の表示位置に配置されていない場合、すなわち第２スクリーン２２が図１に示すように、第２排紙ユニット１１内に収納されている場合は、投射部４のランプの光量を減光するか消光させるように制御を行う。
【００５３】
図１０に示すステップＳ１０において、第１接続部９Ｂの位置から検出信号が出力された場合は、図８に示した制御部６内の入力装置状態検出部６０１では、作業はエリア１で行うと判断する（ステップＳ１３）。制御部６内の投射部制御部６０７では、入力装置状態検出部６０１からの検出信号に基づき、主記憶装置（ＲＡＭ）に格納された、図１３に示す制御テーブルを参照して画面サイズを決定する。すなわち、作業がエリア１であり、スクリーンが第２スクリーン２２であるため、案内表示画像の画面サイズはサイズ中と決定される（ステップＳ１４）。なお、この場合の案内表示画像の大きさは、例えば図１２（Ｂ）に示すような配置となる。
【００５４】
図１０に示すステップＳ１０において、第３接続部７Ｂの位置から検出信号が出力された場合は、図８に示した制御部６内の入力装置状態検出部６０１では、作業はエリア３で行うと判断する（ステップＳ１５）。制御部６内の投射部制御部６０７では、入力装置状態検出部６０１からの検出信号に基づき、主記憶装置（ＲＡＭ）に格納された、図１３に示す制御テーブルを参照して画面サイズを決定する。すなわち、作業がエリア３であり、スクリーンが第２スクリーン２２であるため、案内表示画像の画面サイズはサイズ大と決定される（ステップＳ１６）。なお、この場合の案内表示画像の大きさは、例えば図１２（Ａ）に示すような配置となる。
【００５５】
上記ステップＳ１２、Ｓ１４、Ｓ１６を行った後、スクリーン切り替えの指示があるか否かを判定する（ステップＳ１７）。このステップＳ１７においてスクリーン切り替えの指示がない場合は、制御は終了する。ステップＳ１７において、第１スクリーン２１への切り替えの指示がされた場合は図９のフローチャートで示した制御に移行し、第３スクリーン２３への切り替えの指示がされた場合は図１１のフローチャートで示す制御に移行する。
〈第３スクリーンが選定された場合〉
次に、図１１に示すフローチャートを用いて第３スクリーン２３が選定された場合の制御動作について説明する。
【００５６】
図１１に示すように、第３スクリーン２３へ案内表示画像の投影の選定がなされると次に処理操作位置の検出を行う。具体的には、第１接続部９Ｂ、第２接続部１１Ｂ、第３接続部７Ｂのいずれかのキー入力部５においてキー入力操作があったか、又は第１接続部９Ｂ、第２接続部１１Ｂ、第３接続部７Ｂのいずれかにキー入力部５が接続されたかどうかを検出して、処理操作位置の判定を行う（ステップＳ２０）。
【００５７】
ステップＳ２０において、キー入力又はキー入力部５の接続が行われた処理操作位置が第２接続部１１Ｂの位置から検出信号が出力された場合は、図８に示した制御部６内の入力装置状態検出部６０１では、作業はエリア２で行うと判断する（ステップＳ２１）。制御部６内の投射部制御部６０７では、入力装置状態検出部６０１からの検出信号に基づき、制御部６内の図示しない主記憶装置（ＲＡＭ）に格納された、図１３に示すような制御テーブルを参照して画面サイズを決定する。すなわち、作業がエリア２であり、スクリーンが第３スクリーン２３であるため、案内表示画像の画面サイズはサイズ大と決定される（ステップＳ２２）。
【００５８】
上記ステップＳ２２では、入力装置状態検出部６０１からの検出信号に基づき投射部制御部６０７から、光量制御部６０８並びに投射部位置制御部６０９へ制御信号を出力して、光量制御部６０８から投射部４のランプの光量制御を行うと共に、投射部位置制御部６０９から投射部４の位置調整部４０及びズーム調整手段３の各モータへ制御信号を出力して案内表示画像の大きさを投射部４の向きなどを制御する。なお、投射部制御部６０７では、スクリーン状態検出部６１０からの第３スクリーン２３の状態検出結果により、第３スクリーン２３が規定の表示位置に配置されている場合、すなわち第３スクリーン２３が図６に示すように、確実に立ち上がって配置されている場合には、光量制御部６０８へ規定の光量となるような制御信号を発生させるようになっている。また、第３スクリーン２３の状態検出結果により、第３スクリーン２３が規定の表示位置に配置されていない場合、すなわち第３スクリーン２３が図１に示すように、第１給紙ユニット７内に収納されている場合は、投射部４のランプの光量を減光するか消光させるように制御を行う。
【００５９】
図１１に示すステップＳ２０において、第１接続部９Ｂの位置から検出信号が出力された場合は、図８に示した制御部６内の入力装置状態検出部６０１では、作業はエリア１で行うと判断する（ステップＳ２３）。制御部６内の投射部制御部６０７では、入力装置状態検出部６０１からの検出信号に基づき、主記憶装置（ＲＡＭ）に格納された、図１３に示す制御テーブルを参照して画面サイズを決定する。すなわち、作業がエリア１であり、スクリーンが第３スクリーン２３であるため、案内表示画像の画面サイズはサイズ中と決定される（ステップＳ２４）。
【００６０】
図１１に示すステップＳ２０において、第３接続部７Ｂの位置から検出信号が出力された場合は、図８に示した制御部６内の入力装置状態検出部６０１では、作業はエリア３で行うと判断する（ステップＳ２５）。制御部６内の投射部制御部６０７では、入力装置状態検出部６０１からの検出信号に基づき、主記憶装置（ＲＡＭ）に格納された、図１３に示す制御テーブルを参照して画面サイズを決定する。すなわち、作業がエリア３であり、スクリーンが第３スクリーン２２であるため、案内表示画像の画面サイズはサイズ小と決定される（ステップＳ１６）。
【００６１】
上記ステップＳ１２、Ｓ１４、Ｓ１６を行った後、スクリーン切り替えの指示があるか否かを判定する（ステップＳ１７）。このステップＳ１７においてスクリーン切り替えの指示がない場合は、制御は終了する。ステップＳ１７において、第１スクリーン２１への切り替えの指示がされた場合は図９のフローチャートで示した制御に移行し、第３スクリーン２３への切り替えの指示がされた場合は図１０のフローチャートで示す制御に移行する。
(画像形成装置の制御動作：人体検知センサによる処理操作位置の検出)
図１４〜１６は、人体検知センサ７Ｓ、９Ｓ、１１Ｓで操作者などの人体を検出した場合に、投射部４を制御する流れを示すフローチャートである。
〈第１スクリーンが選定された場合〉
図１４に示すように、第１スクリーン２１へ案内表示画像の投影の選定がなされると（ステップＳ３０）、次に処理操作位置の検出として人体検知センサ７Ｓ、９Ｓ、１１Ｓでの検出を行う（ステップＳ３１）。
【００６２】
ステップＳ３１において、人体が検知された位置、すなわち処理操作位置の人体検知センサ１１Ｓから検出信号が出力された場合は、どのエリアの人体検知センサでの検出かを判定する（ステップＳ３２）。ここで、図８に示した制御部６内の人体位置検出部６０２では、作業はエリア２で行うと判断する。投射部制御部６０７では、人体位置検出部６０２からの検出信号に基づき、制御部６内の図示しない主記憶装置（ＲＡＭ）に格納された、図１７に示すような制御テーブルを参照して画面サイズを決定する。すなわち、人体がエリア２であり、スクリーンが第１スクリーン２１であるため、案内表示画像の画面サイズはサイズ中と決定される（ステップＳ３３）。
【００６３】
上記ステップＳ３３では、人体位置検出部６０２からの検出信号に基づき投射部制御部６０７が、光量制御部６０８並びに投射部位置制御部６０９へ制御信号を出力して、光量制御部６０８から投射部４のランプの光量制御を行うと共に、投射部位置制御部６０９から投射部４の位置調整部４０及びズーム調整手段３の各モータへ制御信号を出力する。なお、投射部制御部６０７では、スクリーン状態検出部６１０からの第１スクリーン２１の状態検出結果により、第１スクリーン２１が規定の表示位置に配置されている場合には、光量制御部６０８へ規定の光量となるような制御信号を発生させるようになっている。また、第１スクリーン２１の状態検出結果により、第１スクリーン２１が規定の表示位置に配置されていない場合は、投射部４のランプの光量を減光するか消光させるように制御を行う。
【００６４】
図１４に示すステップＳ３２において、エリア１から検出信号が出力された場合は、図８に示した制御部６内の人体位置検出部６０２では、作業はエリア１で行うと判断する制御部６内の投射部制御部６０７では、人体位置検出部６０２からの検出信号に基づき、主記憶装置（ＲＡＭ）に格納された、図１７に示す制御テーブルを参照して画面サイズを決定する。すなわち、人体がエリア１であり、スクリーンが第１スクリーン２１であるため、案内表示画像の画面サイズはサイズ小と決定される（ステップＳ３４）。
【００６５】
図１４に示すステップＳ３２において、エリア３から検出信号が出力された場合は、図８に示した制御部６内の人体位置検出部６０２では、作業はエリア３で行うと判断する。制御部６内の投射部制御部６０７では、人体位置検出部６０２からの検出信号に基づき、主記憶装置（ＲＡＭ）に格納された、図１７に示す制御テーブルを参照して画面サイズを決定する。すなわち、人体がエリア３であり、スクリーンが第１スクリーン２１であるため、案内表示画像の画面サイズはサイズ中と決定される（ステップＳ３５）。
【００６６】
上記ステップＳ３３、Ｓ３４、Ｓ３５を行った後、スクリーン切り替えの指示があるか否かを判定する（ステップＳ３６）。このステップＳ３６においてスクリーン切り替えの指示がない場合は、制御は終了する。ステップＳ３６において、第２スクリーン２２への切り替えの指示がされた場合は図１５のフローチャートで示す制御に移行し、第３スクリーン２３への切り替えの指示がされた場合は図１６のフローチャートで示す制御に移行する。
【００６７】
なお、上記ステップＳ３１において人体検知センサ７Ｓ、９Ｓ、１１Ｓのいずれも人体検出がない場合はステップＳ３６に移る。
〈第２スクリーンが選定された場合〉
次に、図１５に示すフローチャートを用いて第２スクリーン２２が選定された場合の制御動作について説明する。
【００６８】
図１５に示すように、第２スクリーン２２へ案内表示画像の投影の選定がなされると、次に処理操作位置の検出として人体検知センサ７Ｓ、９Ｓ、１１Ｓでの検出を行う（ステップＳ４０）。
【００６９】
ステップＳ４０において、人体が検知された位置、すなわち処理操作位置の人体検知センサ１１Ｓから検出信号が出力された場合は、どのエリアの人体検知センサでの検出かを判定する（ステップＳ４１）。ここで、図８に示した制御部６内の人体位置検出部６０２では、作業はエリア２で行うと判断する。投射部制御部６０７では、人体位置検出部６０２からの検出信号に基づき、制御部６内の図示しない主記憶装置（ＲＡＭ）に格納された、図１７に示すような制御テーブルを参照して画面サイズを決定する。すなわち、人体がエリア２であり、スクリーンが第２スクリーン２２であるため、案内表示画像の画面サイズはサイズ小と決定される（ステップＳ４２）。
【００７０】
上記ステップＳ４２では、人体位置検出部６０２からの検出信号に基づき投射部制御部６０７が、光量制御部６０８並びに投射部位置制御部６０９へ制御信号を出力して、光量制御部６０８から投射部４のランプの光量制御を行うと共に、投射部位置制御部６０９から投射部４の位置調整部４０及びズーム調整手段３の各モータへ制御信号を出力する。なお、投射部制御部６０７では、スクリーン状態検出部６１０からの第２スクリーン２２の状態検出結果により、第２スクリーン２２が規定の表示位置に配置されている場合には、光量制御部６０８へ規定の光量となるような制御信号を発生させるようになっている。また、第２スクリーン２２の状態検出結果により、第２スクリーン２２が規定の表示位置に配置されていない場合は、投射部４のランプの光量を減光するか消光させるように制御を行う。
【００７１】
図１５に示すステップＳ４１において、エリア１から検出信号が出力された場合は、図８に示した制御部６内の人体位置検出部６０２では、作業はエリア１で行うと判断する制御部６内の投射部制御部６０７では、人体位置検出部６０２からの検出信号に基づき、主記憶装置（ＲＡＭ）に格納された、図１７に示す制御テーブルを参照して画面サイズを決定する。すなわち、作業がエリア１であり、スクリーンが第２スクリーン２２であるため、案内表示画像の画面サイズはサイズ中と決定される（ステップＳ４３）。
【００７２】
図１５に示すステップＳ４１において、エリア３から検出信号が出力された場合は、図８に示した制御部６内の人体位置検出部６０２では、作業はエリア３で行うと判断する。制御部６内の投射部制御部６０７では、人体位置検出部６０２からの検出信号に基づき、主記憶装置（ＲＡＭ）に格納された、図１７に示す制御テーブルを参照して画面サイズを決定する。すなわち、作業がエリア３であり、スクリーンが第２スクリーン２２であるため、案内表示画像の画面サイズはサイズ大と決定される（ステップＳ４４）。
【００７３】
上記ステップＳ４２、Ｓ４３、Ｓ４４を行った後、スクリーン切り替えの指示があるか否かを判定する（ステップＳ４５）。このステップＳ４５においてスクリーン切り替えの指示がない場合は、制御は終了する。ステップＳ４５において、第１スクリーン２１への切り替えの指示がされた場合は図１４に示すフローチャートで示す制御に移行し、第３スクリーン２３への切り替えの指示がされた場合は図１６のフローチャートで示す制御に移行する。
【００７４】
なお、上記ステップＳ４１において人体検知センサ７Ｓ、９Ｓ、１１Ｓのいずれも人体検出がない場合はステップＳ４５に移る。
〈第３スクリーンが選定された場合〉
次に、図１６に示すフローチャートを用いて第３スクリーン２３が選定された場合の制御動作について説明する。
【００７５】
図１６に示すように、第３スクリーン２３へ案内表示画像の投影の選定がなされると、次に処理操作位置の検出として人体検知センサ７Ｓ、９Ｓ、１１Ｓでの検出を行う（ステップＳ５０）。
【００７６】
ステップＳ５０において、人体が検知された位置、すなわち処理操作位置の人体検知センサ１１Ｓから検出信号が出力された場合は、どのエリアの人体検知センサでの検出かを判定する（ステップＳ５１）。ここで、図８に示した制御部６内の人体位置検出部６０２では、作業はエリア２で行うと判断する。投射部制御部６０７では、人体位置検出部６０２からの検出信号に基づき、制御部６内の図示しない主記憶装置（ＲＡＭ）に格納された、図１７に示すような制御テーブルを参照して画面サイズを決定する。すなわち、人体がエリア２であり、スクリーンが第３スクリーン２２であるため、案内表示画像の画面サイズはサイズ大と決定される（ステップＳ５２）。
【００７７】
上記ステップＳ５２では、人体位置検出部６０２からの検出信号に基づき投射部制御部６０７が、光量制御部６０８並びに投射部位置制御部６０９へ制御信号を出力して、光量制御部６０８から投射部４のランプの光量制御を行うと共に、投射部位置制御部６０９から投射部４の位置調整部４０及びズーム調整手段３の各モータへ制御信号を出力する。なお、投射部制御部６０７では、スクリーン状態検出部６１０からの第３スクリーン２３の状態検出結果により、第３スクリーン２３が規定の表示位置に配置されている場合には、光量制御部６０８へ規定の光量となるような制御信号を発生させるようになっている。また、第３スクリーン２３の状態検出結果により、第３スクリーン２３が規定の表示位置に配置されていない場合は、投射部４のランプの光量を減光するか消光させるように制御を行う。
【００７８】
図１６に示すステップＳ５１において、エリア１から検出信号が出力された場合は、図８に示した制御部６内の人体位置検出部６０２では、作業はエリア１で行うと判断する制御部６内の投射部制御部６０７では、人体位置検出部６０２からの検出信号に基づき、主記憶装置（ＲＡＭ）に格納された、図１７に示す制御テーブルを参照して画面サイズを決定する。すなわち、作業がエリア１であり、スクリーンが第３スクリーン２３であるため、案内表示画像の画面サイズはサイズ中と決定される（ステップＳ５３）。
【００７９】
図１６に示すステップＳ５１において、エリア３から検出信号が出力された場合は、図８に示した制御部６内の人体位置検出部６０２では、作業はエリア３で行うと判断する。制御部６内の投射部制御部６０７では、人体位置検出部６０２からの検出信号に基づき、主記憶装置（ＲＡＭ）に格納された、図１７に示す制御テーブルを参照して画面サイズを決定する。すなわち、作業がエリア３であり、スクリーンが第３スクリーン２３であるため、案内表示画像の画面サイズはサイズ小と決定される（ステップＳ５４）。
【００８０】
上記ステップＳ５２、Ｓ５３、Ｓ５４を行った後、スクリーン切り替えの指示があるか否かを判定する（ステップＳ５５）。このステップＳ５５においてスクリーン切り替えの指示がない場合は、制御は終了する。ステップＳ５５において、第１スクリーン２１への切り替えの指示がされた場合は図１４のフローチャートで示す制御に移行し、第２スクリーン２２への切り替えの指示がされた場合は図１５のフローチャートで示す制御に移行する。
【００８１】
なお、上記ステップＳ５０において人体検知センサ７Ｓ、９Ｓ、１１Ｓのいずれも人体検出がない場合はステップＳ５５に移る。
(画像形成装置の制御動作：ジョブ検出センサによる処理操作位置の検出)
図１８は、給紙センサ８１、搬送センサ８２、排紙センサ８３などのジョブ検出センサにより処理操作位置を検出した場合に投射部４を制御する流れを示すフローチャートである。
【００８２】
まず、画像形成装置１によるプリントを開始して（ステップＳ６０）、投射部４からこのプリント状態の内容の案内表示画像を第１スクリーン２１に投影させる（ステップＳ６１）。このときは、投射部制御部６０７は、光量制御部６０８と投射部位置制御部６０９に制御信号を出力し、投射部４のランプや位置調整部４０及びズーム調整手段３を制御して、第１スクリーン２１に案内表示画像を投影させる。
【００８３】
その後、紙無し状態が発生した否かを判定する（ステップＳ６２）。ステップＳ６２において紙無し状態が判定された場合、紙無し状態が、本体ユニット９内のカセットか、第１、２給紙ユニット７、８のいずれで発生しているかを判定する（ステップＳ６３）。
【００８４】
ステップＳ６３において本体ユニット９のカセットで紙無し状態が発生していると判定した場合は、第１スクリーン２１に紙無し状態の案内表示画像を投影する（ステップＳ６４）。図８に示すように、搬送センサ８２が、本体ユニット９のトレイでの紙無し状態を検出した場合は、搬送センサ８２より本体ユニット制御部６０４へ検出信号が出力される。搬送センサ８２から検出信号が入力された本体ユニット制御部６０４では、スクリーン選定部６０６へジョブ発生の検出信号を出力する。スクリーン選定部６０６では、処理操作位置としてのジョブ発生箇所に最寄りの第１スクリーン２１の選定を行う。ステップＳ６４の投影を行った後は、制御を終了する。
【００８５】
ステップＳ６３において、第１、２給紙ユニット７、８で紙無し状態が発生していると判定した場合は、これらのユニットに近い位置となる第３スクリーン２３へ紙無し状態の案内表示画像を投影する（ステップＳ６５）。ステップＳ６５の投影を行った後は、制御を終了する。
【００８６】
ステップＳ６２において、紙無し状態ではない場合は、ジャムが発生しているか否かの判定を行う（ステップＳ６６）。ここで、ジャムが発生していなければ制御を終了する。ジャムが発生している場合は、ジャム位置の判定を行う（ステップＳ６７）。
【００８７】
ステップＳ６７において、第１、２排紙ユニット１０、１１の排紙センサ８３がジャムの発生を検知した場合は、排紙センサ８３から排紙ユニット制御部６０５へ検出信号を出力する。排紙ユニット制御部６０５は、この検出信号の入力に基づいてスクリーン選定部６０６へ処理操作位置情報に関する検出信号を出力する。これに伴い、投射部制御部６０７では第２スクリーン２２に案内表示画像の投影を行う制御信号を、光量制御部６０８ならびに投射部位置制御部６０９へ出力する。このようにして、投射部４から第２スクリーン２２へ、案内表示画像を投影させる（ステップＳ６８）。
【００８８】
ステップＳ６７において、ジャム発生が本体ユニット９内である場合は、本体ユニット９に最寄りの第１スクリーン２１に案内表示画像を投影する（ステップＳ６９）。なお、この場合は、搬送センサ８２でジョブ発生を検出して、本体ユニット制御部６０４、スクリーン選定部６０６、投射部制御部６０７、光量制御部６０８、及び投射部位置制御部６０９により、投射部４のランプ及び位置調整部４０及びズーム調整手段３の制御を行う。
【００８９】
ステップＳ６７において、ジャムが第１、２給紙ユニット７、８で発生していることを給紙センサ８１が検出した場合は、これら給紙ユニット７、８に最寄りの第３スクリーン２３へ案内表示画像の投影を行う（ステップＳ７０）。
【００９０】
以上、本実施の形態に係る画像形成装置１の構成及びその制御動作について説明したが、本実施の形態によれば、３箇所に処理操作位置がある画像形成装置１であっても、１つの投射部４で各処理操作位置における視認性が良好な案内表示画像を表示できるため、例えば複数液晶表示装置などの独立した表示装置を備える必要がなく、コストを増加させることなく、各処理操作位置にて操作入力を容易に行うことができる。
【００９１】
また、本実施の形態に係る画像形成装置１では、処理操作位置とスクリーンとの距離に応じて案内表示画像を大きくする他に、任意に案内表示画像を見やすい大きさに設定することも可能となるため、所謂ユニバーサルデザイン表示を行うことも容易に設定できる。また、スクリーンの大きさも設置スペースに制約されずに大きく設定できるという利点がある。
【００９２】
さらに、本実施の形態に係る画像形成装置１では、案内表示画像とキー入力部５とを別体とすることができるため、操作場所を選ばずに操作を容易に行えるという利点がある。
【００９３】
また、本実施の形態に係る画像形成装置１では、画像形成装置本体１Ａの一部である前扉１１Ｄなどを利用してスクリーンとして用いることもできるため、更にコストの増加を抑えることができる。
【００９４】
本実施の形態に係る画像形成装置１では、キー入力部５の配置場所の自由度が大きく、入力し易い場所で正確に操作が行えるという利点がある。
【００９５】
また、本実施の形態に係る画像形成装置１では、キー入力部５を１つ用意するだけで複数箇所の処理操作に対応できるため、更にコストの増加を抑えることができる。
【００９６】
さらに、本実施の形態に係る画像形成装置１では、ユーザの要望に応じて案内表示画像の視認性を高める調整が可能である。
【００９７】
本実施の形態に係る画像形成装置１では、人体検知センサ７Ｓ、９Ｓ、１１Ｓで作業者の位置を正確に把握できるため、より正確な処理操作位置を検出することが可能となる。
【００９８】
また、本実施の形態に係る画像形成装置１では、画像形成装置本体１Ａや作業の状態に応じて、投射先のスクリーンを自由に選定できるため、最適なスクリーン表示が行えると共に、作業箇所のナビゲーションも行えるという利点があり、作業性を大幅に向上できる。
【００９９】
さらに、本実施の形態に係る画像形成装置１では、位置調整部４０やズーム調整手段３により、自動的に投射部４の位置を容易且つ正確に制御できる。
【０１００】
また、本実施の形態に画像形成装置１では、スクリーン状態検出部６１０や投光方向検知センサの検出結果に基づいて、投射部４の向き変更時に、不用意に作業者や周囲の人に投光することがなく安全性が高い。
［第２の実施の形態］
図１９は、本発明の第２の実施の形態に係る画像形成装置の投射部４とその位置調整部とを示す要部斜視図である。本実施の形態では、投射部４の位置調整を手動で行うため、上記した第１の実施の形態に係る画像形成装置１の構成において、投射部４の位置調整部４０に関連する制御系が省略されたものである。なお、本実施の形態では、ズーム調整手段３は、制御部側で制御される点は上記した第１の実施の形態と同様である。なお、図２０は、後述する回転筒部９２を回転軸と直角をなす方向に切断した状態を示す要部断面図である。
【０１０１】
図１９に示すように、本実施の形態の投射部４の下面には、一体的に取付ロッド９１が下方に向けて突設されている。この取付ロッド９１の下端には、扁平な円筒状の回転筒部９２が設けられている。図２０に示すように、この回転筒部９２内には、筒状の内側回転筒部９３Ａが回転可能に嵌合されている。この内側回転筒部９３Ａの底部には、揺動アーム９３が設けられている。この揺動アーム９３の下端部は、本体ユニット９上に立設された固定柱９５の上端部に、軸９４で支持されて回動可能に連結されている。
【０１０２】
また、回転筒部９２の内周面の１箇所には、断面Ｕ字状の突部を備える係止用バネ部材９６が内側に突出するように設けられている。内側回転筒部９３Ａの外周部は、上記した第１スクリーン２１、第２スクリーン２２、第３スクリーン２３の位置に対応するように係止溝９３Ａ１、９３Ａ２、９３Ａ３が形成されている。これらの係止溝９３Ａ１、９３Ａ２、９３Ａ３には、係止用バネ部材９６が係脱可能となっている。すなわち、回転筒部９２と内側回転筒部９３Ａとが相対回転した際に、係止用バネ部材９６がそのバネ特性により、係止溝９３Ａ１、９３Ａ２、９３Ａ３に係合と係合解除とが可能となるように設定されている。
【０１０３】
さらに、内側回転筒部９３Ａの内側面には、係止溝９３Ａ１、９３Ａ２、９３Ａ３と対応する位置に被検出片９７が突設されている。また、回転筒部９２における内側回転筒部９３Ａより内側箇所には、上記被検出片９７を検出するフォトセンサ９８が固定されている。このフォトセンサ９８は、内側回転筒部９３Ａに設けられた被検出片９７を検出して、投射部４がいずれのスクリーンに向けられているかを検出することができる。
【０１０４】
本実施の形態では、係止用バネ部材９６が係止溝９３Ａ１、９３Ａ２、９３Ａ３に対してクリック動作で係止、解除となるため、操作者が投射部４を所望のスクリーンへ向けて手動で位置調整することが容易となる。
【０１０５】
また、本実施の形態では、位置調整機構を所謂メカニカルラッチ方式としているため、制御系を簡略化でき、さらにコストを抑えることができる。
（その他の実施の形態）
以上、本発明の第１及び第２の実施の形態について説明したが、この開示の一部をなす論述及び図面はこの発明を限定するものであると理解すべきではない。この開示から当業者には様々な代替実施の形態、実施例及び運用技術が明らかとなろう。
【０１０６】
例えば、上記第１及び第２の実施の形態に係る画像形成装置１では、画像形成装置本体１Ａに対して複数箇所でキー入力部５が接続可能な接続部７Ｂ、９Ｂ、１１Ｂ、１１Ｃを設けて、処理操作位置に応じて接続部を選んでキー入力部５を接続したり、各接続部７Ｂ、９Ｂ、１１Ｂにキー入力部５を備える構成としたが、これらの接続部を設けずに、キー入力部５をワイヤレスで操作可能としてもよいし、長いケーブルでキー入力部５を移動可能としても勿論よい。
【０１０７】
また、上記第１及び第２の実施の形態に係る画像形成装置１では、各スクリーン２１、２２、２３などを画像形成装置本体１Ａに設けた構成であるが、画像形成装置本体１Ａの近傍の壁面をスクリーンとして用いてもよい。
【０１０８】
さらに、上記第１の実施の形態に係る画像形成装置１では、複数のモータを備えた位置調整部４０としたが、投射部４の投射方向を実質的に変更できるものであれば、他の機構の位置調整部を採用することも勿論可能である。
【０１０９】
また、上記第１の実施の形態に係る画像形成装置１において、スクリーン選定部６０６で、第１〜３スクリーン状態検出センサ５５〜５７の検出信号によりいずれかのスクリーンが非表示位置から表示位置になるようにセットされた場合に、そのスクリーンを選定するように制御させる構成としてもよい。
【図面の簡単な説明】
【０１１０】
【図１】本発明の第１の実施の形態に係る画像形成装置の全体を示し、第１スクリーンが表示可能な状態でありキー入力部が本体ユニットに接続された状態を示す斜視図である。
【図２】本発明の第１の実施の形態に係る画像形成装置の全体を示し、第１スクリーンが表示可能な状態でありキー入力部が給紙ユニットに接続された状態を示す斜視図である。
【図３】本発明の第１の実施の形態に係る画像形成装置の全体を示し、第１スクリーンが表示可能な状態でありキー入力部が各ユニットにそれぞれ接続されている状態を示す斜視図である。
【図４】本発明の第１の実施の形態に係る画像形成装置の全体を示し、第１スクリーン及び排紙ユニットの前扉の内側面が表示可能な状態であり、キー入力部が排紙ユニット内の接続部に接続部に接続されると共に、前扉内側面に案内表示画像を投射している状態を示す斜視図である。
【図５】本発明の第１の実施の形態に係る画像形成装置における位置調整部を示す斜視図である。
【図６】本発明の第１の実施の形態に係る画像形成装置の全体を示し、第１〜３スクリーンが表示可能な状態であり、キー入力部が排紙ユニットに接続され、案内表示画像が第３スクリーンに投射されている状態を示す斜視図である。
【図７】本発明の第１の実施の形態に係る画像形成装置における第１給紙ユニットを示す斜視図である。
【図８】本発明の第１の実施の形態に係る画像形成装置の制御部を示す構成図である。
【図９】本発明の第１の実施の形態に係る画像形成装置の制御動作を示すフローチャートである。
【図１０】本発明の第１の実施の形態に係る画像形成装置の制御動作を示すフローチャートである。
【図１１】本発明の第１の実施の形態に係る画像形成装置の制御動作を示すフローチャートである。
【図１２】（Ａ）〜（Ｃ）は、本発明の第１の実施の形態に係る画像形成装置の制御動作に伴う案内表示画像の状態を示す説明図である。
【図１３】本発明の第１の実施の形態に係る画像形成装置の制御部の主記憶部に格納された制御テーブルを示す説明図である。
【図１４】本発明の第１の実施の形態に係る画像形成装置の制御動作を示すフローチャートである。
【図１５】本発明の第１の実施の形態に係る画像形成装置の制御動作を示すフローチャートである。
【図１６】本発明の第１の実施の形態に係る画像形成装置の制御動作を示すフローチャートである。
【図１７】本発明の第１の実施の形態に係る画像形成装置の制御部の主記憶部に格納された制御テーブルを示す説明図である。
【図１８】本発明の第１の実施の形態に係る画像形成装置の制御動作を示すフローチャートである。
【図１９】本発明の第２の実施の形態に係る画像形成装置に用いられる位置調整部を含む投射部を示す斜視図である。
【図２０】本発明の第２の実施の形態に係る画像形成装置に用いられる位置調整部の要部断面図である。
【符号の説明】
【０１１１】
１…画像形成装置、１Ａ…画像形成装置本体、３…ズーム調整手段、４…投射部、５…キー入力部、６…制御部、７…第１給紙ユニット、７Ａ…引き出し部、７Ｂ…第３接続部、７Ｓ，９Ｓ，１１Ｓ…人体検知センサ、８…第２給紙ユニット、９…本体ユニット、９Ａ…引き出し部、９Ｂ…第１接続部、９Ｃ…回転板、９Ｓ…人体検知センサ、１０…第１排紙ユニット、１１…第２排紙ユニット、１１Ｂ…第２接続部、１１Ｃ…接続部、１１Ｄ…前扉、１１Ｓ…人体検知センサ、２１…第１スクリーン、２２…第２スクリーン、２３…第３スクリーン、４０…位置調整部、５５…第１スクリーン状態検出センサ、５６…第２スクリーン状態検出センサ、５７…第３スクリーン状態検出センサ、８１…給紙センサ、８２…搬送センサ、８３…排紙センサ、６０７…投射部制御部、６０８…光量制御部、６０９…投射部位置制御部、６１０…スクリーン状態検出部
【図１】
2010128120.tif 000003
【図２】
2010128120.tif 000004
【図３】
2010128120.tif 000005
【図４】
2010128120.tif 000006
【図５】
2010128120.tif 000007
【図６】
2010128120.tif 000008
【図７】
2010128120.tif 000009
【図８】
2010128120.tif 000010
【図９】
2010128120.tif 000011
【図１０】
2010128120.tif 000012
【図１１】
2010128120.tif 000013
【図１２】
2010128120.tif 000014
【図１３】
2010128120.tif 000015
【図１４】
2010128120.tif 000016
【図１５】
2010128120.tif 000017
【図１６】
2010128120.tif 000018
【図１７】
2010128120.tif 000019
【図１８】
2010128120.tif 000020
【図１９】
2010128120.tif 000021
【図２０】
2010128120.tif 000022